(57)【要約】【課題】給水栓本体１が回転することなく、取付ナット８を回し得るようにする。【解決手段】給水栓Ａは、壁面の給水栓本体１と、その給水栓本体中程の膨出部２内に設けた止水弁３と、その止水弁の上方に延びるスピンドル４と、そのスピンドルの上端のハンドル５と、給水栓本体の先端の雄ねじ部７に取付ナット８を介して接続された蛇口パイプ６とからなる。取付ナット８にその側面から一の棒状治具１０を嵌め、膨出部２の下部に他の棒状治具２０を嵌める。この状態で、両治具を片手で把持して近づける。このとき、通常、取付ナットの締結力は給水栓本体の壁への取付強度より小さいため、給水栓本体が壁に対して回ることは極めて少なく、その給水栓本体側を回転支点として一の治具の回転がなされて、取付ナット８を緩み方向に回転させる。この作用により取付ナット８が緩めば、両治具を給水栓本体から外し、手で取付ナットをさらに回して、取付ナット付の蛇口パイプを給水栓本体１から取外す。【選択図】図１Ｃ
2017124486.tif 000002
【特許請求の範囲】
【請求項１】
壁面（Ｗ）に設けた給水栓本体（１）と、その給水栓本体（１）中程の膨出部（２）内に設けた止水弁（３）と、その止水弁（３）の上方に延びるスピンドル（４）と、そのスピンドル（４）の上端のハンドル（５）と、前記給水栓本体（１）の先端の雄ねじ部（７）に取付ナット（８）を介して接続された蛇口パイプ（６）とからなる給水栓構造において、前記蛇口パイプ（６）を給水栓本体（１）から取外す方法であって、
上記取付ナット（８）にその側面から嵌めて固定される嵌合部（１２）を先端に有する棒状治具（１０）と、上記膨出部（２）にその下側から嵌めて固定される嵌合部（２２）を先端に有する棒状治具（２０）とでもって上記蛇口パイプ（６）を給水栓本体（１）から取外す際、両棒状治具（１０、２０）を片手で把持出来る程度に開いて給水栓本体（１）に前記嵌合部（１２、２２）を介し嵌めて固定し、その両棒状治具（１０、２０）を片手で把持し近づけて前記取付ナット（８）を緩め、その緩んだ取付ナット（８）をさらに回して蛇口パイプ（６）を給水栓本体（１）から取外す方法。
【請求項２】
壁面（Ｗ）に設けた給水栓本体（１）と、その給水栓本体（１）中程の膨出部（２）内に設けた止水弁（３）と、その止水弁（３）の上方に延びるスピンドル（４）と、そのスピンドル（４）の上端のハンドル（５）と、前記給水栓本体（１）の先端の雄ねじ部（７）に接続されるホース用接続具（Ｃ）とからなる給水栓構造において、前記給水栓本体（１）の先端の雄ねじ部（７）に取付ナット（８）を介して前記接続具（Ｃ）を取付ける方法であって、
上記接続具（Ｃ）は筒状をして、その筒状部の一端に洗濯機等へのホース（Ｐ）が接続され、筒状部の他端には上記取付ナット（８）が抜け出し不能かつ回転可能に設けられており、
上記取付ナット（８）にその側面から嵌めて固定される嵌合部（１２）を先端に有する棒状治具（１０）と、上記膨出部（２）にその下側から嵌めて固定される嵌合部（２２）を先端に有する棒状治具（２０）とでもって上記接続具（Ｃ）を給水栓本体（１）に取付ける際、両棒状治具（１０、２０）を片手で把持出来る程度に開いて給水栓本体（１）に前記嵌合部（１２、２２）を介し嵌めて固定し、その両棒状治具（１０、２０）を片手で把持し近づけて前記取付ナット（８）を締め付け、その締め付けによって前記ホース用接続具（Ｃ）を給水栓本体（１）に取付ける方法。
【請求項３】
壁面（Ｗ）に設けた給水栓本体（１）と、その給水栓本体（１）中程の膨出部（２）内に設けた止水弁（３）と、その止水弁（３）の上方に延びるスピンドル（４）と、そのスピンドル（４）と前記給水栓本体（１）との間に介設されたパッキンと、前記スピンドル（４）を貫通し前記給水栓本体（１）にねじ込まれる前記パッキン押さえ用ナット（８ａ）と、前記スピンドル（４）の上端のハンドル（５）と、前記給水栓本体（１）の先端の蛇口パイプ（６）とからなる給水栓構造において、前記パッキン押さえ用ナット（８ａ）を給水栓本体（１）に取付け・取外しする方法であって、
上記パッキン押さえ用ナット（８ａ）にその側面から嵌めて固定される嵌合部（１２）を先端に有する棒状治具（１０）と、上記膨出部（２）にその下側から嵌めて固定される嵌合部（２２）を先端に有する棒状治具（２０）とでもって前記パッキン押さえ用ナット（８ａ）を給水栓本体（１）に取付け・取外しする際、両棒状治具（１０、２０）を片手で把持出来る程度に開いて給水栓本体（１）に前記嵌合部（１２、２２）を介し嵌めて固定し、その両棒状治具（１０、２０）を片手で把持し近づけて前記パッキン押さえ用ナット（８ａ）を給水栓本体（１）に対して回して締め又は緩め、そのパッキン押さえ用ナット（８ａ）を給水栓本体（１）から取付け又は取外しするパッキン押さえ用ナット（８ａ）を給水栓本体（１）に取付け・取外しする方法。
【請求項４】
請求項１記載の蛇口パイプ（６）を給水栓本体（１）から取外す方法、請求項２記載の接続具（Ｃ）を給水栓本体（１）に取付ける方法又は請求項３のパッキン押さえ用ナット（８ａ）を給水栓本体（１）に取付け・取外しする方法に使用される治具装置であって、
上記取付ナット（８）又は上記パッキン押さえ用ナット（８ａ）にその側面から嵌めて固定される嵌合部（１２）を先端に有する一の棒状治具（１０）と、給水栓本体（１）の膨出部（２）にその下側から嵌めて固定される嵌合部（２２）を先端に有する他の棒状治具（２０）とからなり、その他の棒状治具（２０）は、前記嵌合部（２２）が断面Ｕ字状であって、そのＵ字状の内面（２４）は給水栓本体（１）の膨出部（２）下部が嵌る形状となっている治具装置。
【請求項５】
上記他の棒状治具（２０）は、給水栓本体（１）の膨出部（２）下部に嵌めて固定した際、その棒状把持部（２１）が上記嵌合部（２２）の上記一の棒状治具（１０）側の端に寄っている請求項４に記載の治具装置。
【請求項６】
上記他の棒状治具（２０）のＵ字状の内面（２４）には、給水栓（Ａ）の軸方向前後のリブ（２５、２５）が設けられて、その両リブ（２５、２５）間に上記給水栓本体（１）の膨出部（２）下部が嵌る請求項４又は５に記載の治具装置。
【請求項７】
上記棒状把持部（２１）は、平面視、並行な対の棒材（２１ａ、２１ａ）からなる請求項４乃至６の何れか一つに記載の治具装置。
【請求項８】
上記他の棒状治具（２０）のＵ字状の内面（２４）に、上記給水栓本体（１）の膨出部（２）が当接する突起（２７）が設けられている請求項４乃至７の何れか一つに記載の治具装置。
【発明の詳細な説明】
【技術分野】
【０００１】
この発明は、壁面に設けた給水栓構造において、パイプ用接続具又は蛇口パイプを給水栓本体に取付け・取外す方法、及びパッキンの取り替え時のそのパッキン押さえ用ナットの取付け・取外し方法、並びにそれらの方法に使用する治具装置に関するものである。
【背景技術】
【０００２】
この種の壁面に設けた給水栓は、一般的には、図９（ａ）、（ｂ）を参照して説明すると、給水栓本体１と、その給水栓本体１中程の膨出部２内に設けた止水弁３と、その止水弁３の上方に延びるスピンドル（弁軸）４と、そのスピンドル４の上端のハンドル５と、前記給水栓本体１の先端に連続する蛇口パイプ６とからなる。
この給水栓Ａにおいて、図９（ａ）、（ｂ）に示すように、蛇口パイプ６を給水栓本体１とは別体とし、その蛇口パイプ６を、給水栓本体１の先端の雄ねじ部７に取付ナット８を介して取付けたものがある（特許文献１、図１参照）。この給水栓Ａは、蛇口パイプ６が給水栓本体１の軸心回りに回転可能のため、この蛇口パイプ６に接続したホースＰを前記軸心回りの任意の方向に向けることができる。
【０００３】
ところで、洗濯機や温水洗浄便座等の水を必要とする機器は、水道管等の給水栓ＡからホースＰを引いて給水する。例えば、図１０に示すように、洗濯機Ｓにおいては、壁（壁面）Ｗに設置された給水栓ＡからホースＰを洗濯機の給水口ａに導く。このとき、蛇口パイプ６にホースＰの一端を直接に嵌めて接続したり（同図（ａ））、接続具Ｂを介して接続したりしている（同図（ｂ））。
図１０（ａ）に示す蛇口パイプ６にホースＰを直接に接続する方法は容易であるが、水漏れしたり、ホースＰが外れたりする。このため、同図（ｂ）に示すように、接続具ＢでもってホースＰを給水栓Ａに接続するのが一般的である。
【０００４】
その接続具Ｂは、対の雄雌コネクタからなり、雄コネクタを給水栓Ａの蛇口にビス等によって取付け、雌コネクタにホースＰの一端を嵌め込んで締め付けバンド等によって水密に接続し、その雄雌コネクタを嵌め合うことによってホースＰを給水栓Ａに接続する（特許文献２、図１〜図３参照）。
この接続具Ｂは雄コネクタを給水栓の蛇口（蛇口パイプ６）にビス止めしているため、その雄コネクタが水道圧で外れて水漏れが生じる場合がある。近年の全自動洗濯機の場合、電磁弁の開閉によって給水やその停止を行い、その給水停止時のウオータハンマーによって前記雄コネクタが外れたり、接続強度の劣化により水漏れしたりしている。
【０００５】
このため、図９（ｃ）に示すように、ホースＰが確実に接続され、かつ水漏れ防止が確実な接続具（洗濯機用ニップル）ＣでもってホースＰを給水栓Ａに接続することが行われている。
そのホース用接続具Ｃへの交換は、図９（ａ）から同図（ｂ）に示すように、回転可能な蛇口パイプ６を有する給水栓Ａにおいて、取付ナット８を緩めて（ねじ戻して）蛇口パイプ６を給水栓本体１から取外し、同図（ｃ）に示すように、上記接続具Ｃを、蛇口パイプ６と同様に、給水栓本体１の先端の雄ねじ部７に取付ナット８を介して取付ける。このとき、接続具Ｃには、ホースＰの一端が嵌め込まれ、その嵌め込み端部を締結バンドｂでもって水密かつ強固に締め付けてホースＰが接続される。
【先行技術文献】
【特許文献】
【０００６】
【特許文献１】特開２００３−１１３６３１号公報
【特許文献２】実用新案登録第３１８４９４７号公報
【発明の概要】
【発明が解決しようとする課題】
【０００７】
従来の上記蛇口パイプ６を給水栓Ａから取外す方法は、図１１（ａ）に示すように、モンキーレンチＬを取付ナット８に嵌め、給水栓本体１を一方の手で把持して固定し、その固定状態で、モンキーレンチＬを矢印方向に回転したり、同図（ｂ）に示すように、モンキーレンチＬを取付ナット８に嵌めるとともに、給水栓本体１中程の膨出部２にさらに他のモンキーレンチＬを嵌め、モンキーレンチＬを矢印方向に回転したりして、取付ナット８を緩めてねじ外し、図９（ｂ）に示すように、蛇口パイプ６を給水栓本体１から外している。
また、接続具Ｃの給水栓本体１への取付けは、上記と同様に、給水栓本体１の先端の雄ねじ部７に取付ナット８を介して取付ける。このとき、取付ナット８の最終的な締め付けは、上記と同様に、モンキーレンチＬを取付ナット８に嵌め、給水栓本体１を一方の手で掴んで固定し、その固定状態で、モンキーレンチＬを矢印の反対方向に回転したり、モンキーレンチＬを取付ナット８に嵌めるとともに、給水栓本体１中程の膨出部２にさらに他のモンキーレンチＬを嵌め、モンキーレンチＬを矢印の反対方向に回転したりしている。
【０００８】
上記従来の蛇口パイプ６の取外しや接続具Ｃの取付けは、給水栓本体１を固定する力が弱かったり、モンキーレンチＬによる給水栓本体１を固定する力が弱かったりすると、図１１（ｃ）に示すように、給水栓本体１に取付ナット８の緩み方向やその逆方向の力が加わり、給水栓本体１を回してしまう場合がある。両モンキーレンチＬ、Ｌをそれぞれ別の手でもった両手操作であると、前記緩み方向やその逆方向への力が大きく、給水栓本体１を回してしまう傾向がある。
【０００９】
この給水栓本体１が回った場合、水道管を破損させたり、給水栓Ａと水道管との接続部のパッキンを損傷させたりする。このことにより、水漏れが発生する事故につながる。壁Ｗが石膏ボード等の機械的強度の低いものでできていると、その水漏れの発生率は高いものとなる。
特に、全自動洗濯機等の電気機器の販売においては、その電気機器の設置と同時に、上記蛇口パイプ６の取外し及び接続具Ｃの取付けを行う。その際、上記水漏れ等の事故が発生すると、信頼関係がなくなる。
また、その蛇口パイプ６の取外し及び接続具Ｃの取付け時、パッキン押さえ用ナット８ａを緩めて（外して）、パッキンを交換する場合がある。この場合も、同様に、その交換時、給水栓本体１を動かして水道管を破損させたりしないことが重要である。
【００１０】
この発明は、以上の実状の下、給水栓本体が回転することなく、取付ナット８又はパッキン押さえ用ナット８ａを回し得るようにすることを課題とする。
【課題を解決するための手段】
【００１１】
上記課題を達成するため、この発明は、まず、取付ナット８やパッキン押さえ用ナット８ａは少し緩めれば、その後は、手でも回して外すことができる。つぎに、通常、取付ナット８やパッキン押さえ用ナット８ａの締結力は給水栓本体の壁への取付強度より小さいため、その給水栓本体の固定と取付ナットやパッキン押さえ用ナットの回転を片手で行えば、前者を回転支点として後者の回転がなされる。このため、給水栓本体が壁に対して回ることは極めて少ない。
【００１２】
この点に基づき、この発明に係る蛇口パイプを給水栓本体から取外す方法の構成は、壁面に設けた給水栓本体と、その給水栓本体中程の膨出部内に設けた止水弁と、その止水弁の上方に延びるスピンドルと、そのスピンドルの上端のハンドルと、前記給水栓本体の先端の雄ねじ部に取付ナットを介して接続された蛇口パイプとからなる給水栓構造において、前記蛇口パイプを給水栓本体から取外す方法であって、前記取付ナットにその側面から嵌めて固定される嵌合部を先端に有する棒状治具と、前記膨出部にその下側から嵌めて固定される嵌合部を先端に有する棒状治具とでもって蛇口パイプを給水栓本体から取外す際、両棒状治具を片手で把持出来る程度に開いて給水栓本体に前記嵌合部を介し嵌めて固定し、その両棒状治具を片手で把持し近づけて前記取付ナットを緩め、その緩んだ取付ナットをさらに回して蛇口パイプを給水栓本体から取外す構成としたのである。
【００１３】
また、上記ホースＰが確実に接続され、かつ水漏れ防止が確実な接続具Ｃを給水栓本体に取付ける方法にあっては、同様に、壁面に設けた給水栓本体と、その給水栓本体中程の膨出部内に設けた止水弁と、その止水弁の上方に延びるスピンドルと、そのスピンドルの上端のハンドルと、前記給水栓本体の先端の雄ねじ部に接続される接続具とからなる給水栓構造において、前記給水栓本体の先端の雄ねじ部に取付ナットを介して前記接続具を接続する方法であって、その接続具は筒状をして、その筒状部の一端に洗濯機等へのホースが接続され、筒状部の他端には前記取付ナットが抜け出し不能かつ回転可能に設けられており、前記取付ナットにその側面から嵌めて固定される嵌合部を先端に有する棒状治具と、前記膨出部にその下側から嵌めて固定される嵌合部を先端に有する棒状治具とでもって前記接続具を給水栓本体に取付ける際、両棒状治具を片手で把持出来る程度に開いて給水栓本体に嵌合部を介し嵌めて固定し、その両棒状治具を片手で把持し近づけて前記取付ナットを締め付け、その締め付けによって前記接続具を給水栓本体に取付ける構成を採用することができる。
【００１４】
さらに、上記給水栓構造において、パッキン押さえ用ナットにその側面から嵌めて固定される嵌合部を先端に有する棒状治具と、給水栓本体の膨出部にその下側から嵌めて固定される嵌合部を先端に有する棒状治具とでもってパッキン押さえ用ナットを給水栓本体から取外し又は取付けする際、両棒状治具を片手で把持出来る程度に開いて給水栓本体に前記嵌合部を介し嵌めて固定し、その両棒状治具を片手で把持し近づけて前記パッキン押さえ用ナットを給水栓本体に対して回して緩め又は締め、そのパッキン押さえ用ナットを給水栓本体から取外す又は取付けるパッキン押さえ用ナットを給水栓本体に取外す・取付けする構成を採用することはできる。
この場合、給水栓本体の先端に雄ねじ部を形成せず、蛇口パイプが給水栓本体の先端に連続して一体になった構成もある。
【００１５】
上記給水栓本体に上記接続具を取付けたり、蛇口パイプを取外したり、パッキン押さえ用ナットを取付け・取外したりする治具装置としては、その方法をなし得る構成であれば任意であるが、例えば、上記給水栓構造において、上記蛇口パイプ又は接続具を給水栓本体の先端の雄ねじ部に取付ナットを介して接続具を接続する際、又は蛇口パイプを取外す際、さらに、パッキン押さえ用ナットを取付け・取外したりする際、前記取付ナット又はパッキン押さえ用ナットにその側面から嵌めて固定される嵌合部を先端に有する一の棒状治具と、給水栓本体の膨出部にその下側から嵌めて固定される嵌合部を先端に有する他の棒状治具とからなり、その他の棒状治具は、前記嵌合部が断面Ｕ字状であって、そのＵ字状の内面は給水栓本体の膨出部下部が嵌る形状となっている構成を採用することができる。
【００１６】
この構成の治具装置において、他方の治具をその嵌合部を介して給水栓本体の膨出部下部に嵌めて固定した際、その棒状把持部が上記嵌合部の上記一の棒状治具側の端に寄っている構成とすれば、一の棒状治具と他の棒状治具の両レバー部（把持部）が近接するため、片手による両治具の把持によるナット回しが容易となる。
また、他の棒状治具のＵ字状の内面には給水栓の軸方向前後のリブを設けて、その両リブ間に上記給水栓本体の膨出部が嵌るようにすれば、他の治具の給水栓本体への固定が安定する。さらに、そのＵ字状の内面に、給水栓本体の膨出部が当接する突起を設ければ、抜け止め効果が発揮されてさらに他の治具の給水栓本体への固定が安定する。これらのリブ及び突起は、特に、上記両治具を近接させた場合に有効である。
【００１７】
上記把持部は、手で把持できれば、その形状は棒状であれば任意であるが、平面視、並行な対の棒材からなるものとすれば、上記他の治具の棒状把持部が上記嵌合部の上記一の棒状治具の両側のそれぞれの端に寄っている構成となるため、一の棒状治具がどちらの側に寄っていても、その一の棒状治具と他の棒状治具の両レバー部が近接することとなり、片手による両治具の把持によるナット回しが容易となる。現場に行かないと、壁が給水栓の左右のどちら側にあるかわからないが、前記構成であれば、右側、左側からも回しやすいため、作業性が良い。
【発明の効果】
【００１８】
この発明は、以上のように構成したので、水漏れ等を生じさせることなく、蛇口パイプを給水栓本体から取外したり、接続具を給水栓本体に取付けたり、また、パッキン押さえ用ナットを給水栓本体に取付け・取外したりすることができる。
【図面の簡単な説明】
【００１９】
【図１Ａ】この発明に係わる蛇口パイプを給水栓本体から取外す方法の一実施形態を示し、（ａ）は正面図、（ｂ）は左側面図
【図１Ｂ】同実施形態の各作用状態の正面図
【図１Ｃ】同実施形態の作用状態を示し、（ａ）は取付ナット緩め作用説明用正面図、（ｂ）は蛇口パイプを取外した状態の左側面図
【図１Ｄ】この発明に係わる接続具を給水栓本体に取付ける方法の一実施形態を示し、（ａ）は取付ける前の左側面図、（ｂ）は取付け作用説明用正面図
【図２】同実施形態の一の棒状治具を示し、（ａ）は平面図、（ｂ）は正面図、（ｃ）は左側面図
【図３】同実施形態の他の棒状治具を示し、（ａ）は平面図、（ｂ）は正面図、（ｃ）は左側面図
【図４】この発明に係わるパッキン押さえ用ナットを給水栓本体に取付け・取外しする方法の一実施形態を示し、（ａ）は正面図、（ｂ）は平面図
【図５】同実施形態の他の棒状治具を示し、（ａ）は平面図、（ｂ）は正面図、（ｃ）は右側面図
【図６】同実施形態の他の棒状治具の他例の斜視図
【図７】同他例の棒状治具を示し、（ａ）は平面図、（ｂ）は正面図、（ｃ）は左側面図
【図８】同他例の棒状治具による作用説明図であり、（ａ）は正面図、（ｂ）は左側面図
【図９】壁面に設けた給水栓を示し、（ａ）はその側面図、（ｂ）は蛇口パイプを取外した状態の側面図、（ｃ）は給水栓に新たな接続具を取付る場合の説明用側面図
【図１０】給水栓から洗濯機への給水ホースの接続態様説明用概略斜視図
【図１１】従来の給水栓における取付ナットの緩め作用説明用正面図
【発明を実施するための形態】
【００２０】
この発明に係わる一実施形態を図１Ａ〜図１Ｄ、及び図２、図３に示し、この実施形態の給水栓Ａも、従来と同様の構成であって、給水栓本体１と、その給水栓本体１中程の膨出部２内に設けた図示しない止水弁３と、その止水弁３の上方に延びるスピンドル（弁軸）４と、そのスピンドル４の上端のハンドル５と、前記給水栓本体１の先端に連続する蛇口パイプ６と、パッキン（図示せず）の押さえ用ナット８ａとからなる。
その蛇口パイプ６は、給水栓本体１とは別体となっており、給水栓本体１の先端の雄ねじ部７に六角取付ナット８を介して取付けられている。このとき、雄ねじ部７と蛇口パイプ６との接続部は、従来と同様に、パイプリング９ａ、Ｕパッキン９ｂが介在されている。
【００２１】
この給水栓Ａにおいて、上記取付ナット８又はパッキン押さえ用ナット８ａの回し方、及びその回し治具装置がこの発明の特徴であり、その治具装置は、一対のスパナ状の扁平棒状治具１０、２０とからなる。
その一方の治具１０は、図２に示すように、その本体（把持部、レバー）１１が全長に亘ってほぼ同一厚さの棒状板片からなり、その本体１１の一端が六角取付ナット８が嵌る六角形の約半分の形状をなす開口の嵌合部１２に形成され、他端は吊し孔１３が形成されている。他端にも各種の大きさや六角以外の多角形の取付ナット８が嵌る嵌合部１２を有するものとすることができる。嵌合部１２の軸心は本体１１の軸心に対して所要角度α、この実施形態では１５度（＝α）傾けている。
【００２２】
他方の治具２０は、図３に示すように、その本体（把持部、レバー）２１が全長に亘ってほぼ同一厚さの棒状板片からなり、一端に断面Ｕ字状嵌合部２２が形成され、他端は吊し孔２３が形成されている。
その他方の治具２０の嵌合部２２は本体２１の軸方向に対して直交方向に延びており、そのＵ字状内面２４は給水栓本体１の膨出部２下部が嵌る形状となっている。また、その嵌合部２２の内面２４の軸方向（嵌合部２２を給水栓本体１に嵌めた際のその給水栓Ａの軸方向）の両側にリブ２５、２５が形成されている。このリブ２５の長さは任意であり、この実施形態では、嵌合部２２の上面開放端に至らせているが、途中までとしても良い。
【００２３】
その嵌合部２２を給水栓本体１に嵌めた際、その両リブ２５、２５の間に膨出部２の前後（図１Ａ（ｂ）の左右方向の前後）が嵌って上記軸方向に動かないようになる。また、棒状本体２１側のリブ２５は少し内側の位置にあって、嵌合部２２を給水栓本体１に嵌めた際、そのリブ２５から嵌合部２２の端までの凹み２６に給水栓本体１の雄ねじ部７にむかう拡径部１ａ（図１Ｄ（ａ）、図９（ｂ）参照）が嵌って、嵌合部２２に対して給水栓本体１がより動かないようになる。
【００２４】
嵌合部２２の下面２２ａは本体２１側から他方に向かって上り傾斜になって、その厚みが徐々に薄くなっており（図１Ａ（ｂ）、図３（ｃ）参照）、力の加わる本体２１側の機械的強度が高くなっている。このため、嵌合部２２の回転中心ｃに対し本体の作用点ｔが偏心して（図３（ｂ）参照）、本体２１の回転による力が嵌合部２２に円滑に働くようになっている。その力の掛かり度合いを考慮してその偏心量を適宜に設定する。
この実施形態においては、本体２１の軸線（作用点ｃを通る中心線）に対して嵌合部２２の軸線（中心ｃを通る線）は直交しているが、傾けても良い。
【００２５】
この治具１０、２０（治具装置）の構成は以上の通りであり、つぎに、この治具（治具装置）でもって、給水栓本体１から蛇口パイプ６を取外し、その後、給水栓本体１に接続具Ｃを取付ける手順について説明する。
【００２６】
まず、図１Ａに示すように、他の治具２０の嵌合部２２を壁Ｗに設置された給水栓Ａの膨出部２に下側から本体２１が水平になるように嵌める。このとき、その水平な本体２１は取付ナット８側に寄った状態となる。また、給水栓本体１の膨出部２のスピンドル４の立ち上がり部は、嵌合部２２の両側壁に挟まれて、嵌合部２２に対し給水栓本体１がその軸心周りに回転しないようになる。その両側壁の高さはその回転が生じないように適宜に設定する。
【００２７】
つぎに、図１Ｂに示すように、一の治具１０の嵌合部１２を給水栓Ａの取付ナット８に嵌める。その一の治具１０を嵌めた状態は、同図（ａ）、（ｂ）に示すように、他の治具２０の本体２１が取付ナット８側に寄っているため、両治具１０、２０は近接した並列となり、片手で両治具１０、２０を把持できる。このとき、同図（ａ）又は同（ｂ）に示すように、両治具１０、２０の開脚度θは任意であるが、両治具１０、２０を片手で把持でき、かつ取付ナット８が円滑に緩むように適宜に決定する。両治具１０、２０の嵌め順序（取付順序）は、一の治具１０が先で、他の治具２０が後の逆でも良い。
この両治具１０、２０の取付状態は、両者の開き度合い（角度θ）が狭いため、両治具１０、２０を両手で操作しづらく、必ず、片手で行うこととなる。また、両治具１０、２０の占有面積は少ないため、狭い場所でもその操作を行うことが出来る。例えば、給水栓Ａの近くに棚等があっても、その操作を行うことが出来る。
【００２８】
この両治具１０、２０を給水栓Ａに取付けた（固定した）状態において、図１Ｃ（ａ）に示すように、両治具１０、２０の板状本体１１、２１を片手で把持し、矢印に示すように、握り締めると、通常、取付ナット８の締結力は給水栓本体１の壁Ｗへの取付強度より小さいため、給水栓本体１が壁（壁面）Ｗに対して回ることは極めて少なく、その給水栓本体１側を回転支点として一の治具１０の回転がなされて、取付ナット８が緩み方向に回転する。この作用により取付ナット８が緩めば、両治具１０、２０を給水栓本体１から外し、手で取付ナット８をさらに回して、図１Ｃ（ｂ）に示すように、取付ナット８付の蛇口パイプ６を給水栓本体１から取外す。
【００２９】
蛇口パイプ６が外れれば、図１Ｄ（ａ）に示すように、ホースＰが確実に接続され、かつ水漏れ防止が確実な接続具Ｃを給水栓本体１に取付ける。その取付けは、まず、パイプリング９ａ、Ｕパッキン９ｂを設けた嵌合筒部を給水栓本体１の雄ねじ部７内に嵌めると共に、手で取付ナット８を雄ねじ部７にねじ込む。このねじ込みは手で回し得る程度までとする。
その状態において、図１Ｄ（ｂ）に示すように、上記取付ナット８を外す場合とは逆に、一の治具１０を他の治具２０の上側として両治具１０、２０を同様にして給水栓本体１に嵌めて固定する。この状態で、両治具１０、２０の板状本体１１、２１を片手で把持し、矢印に示すように、握り締めると、一の治具１０の回転がなされて、取付ナット８が締まり方向に回転する。この作用により取付ナット８が雄ねじ部７に強固に締結されて接続具Ｃが給水栓本体１に強固に取付けられる。
【００３０】
上記蛇口パイプ６と接続具Ｃの交換と同時、又は随時、給水栓本体１内のパッキンを交換する場合は、同様に、図４実線で示すように、一の治具１０をパッキン押さえ用ナット８ａに嵌め、他の治具２０を給水栓Ａの膨出部２に下側から本体２１が水平になるように嵌める。
この状態で、両治具１０、２０を握って近づければ、ナット８ａが緩む。緩めば、そのナット８ａを手で回して取外し、パッキンを交換する。交換が終われば、同図鎖線のように、一の治具１０をパッキン押さえ用ナット８ａに嵌め、両治具１０、２０を握って近づければ、ナット８ａが締まる。このとき、一の治具１０は壁Ｗに当たらないようにナット８ａへの嵌め込みを考慮する。
【００３１】
このパッキン交換用の他の治具２０は、図５に示すように、その本体２１を嵌合部２２の左上の角に設けて断面四角状の棒状とし、図４（ｂ）に示すように、嵌合部２２を膨出部２下部に嵌めた際、パッキン押さえ用ナット８ａの左側面よりその本体２１が少し出るようにする。これによって、ナット８ａの締め付け時、一の治具１０との間隔を担保できる（図４（ｂ）鎖線参照）。本体２１の断面形状は、図示の四角状に限らず、円状（例えば、径２ｃｍ）等と任意である。また、他の治具２０の棒状本体２１を図４（ｂ）において下側に傾斜した製品とすれば、ナット８ａの締め付け時、一の治具１０との間隔をさらに担保でき、一の治具１０が壁Ｗに当たらないようにナット８ａへの嵌め込み易くなる。
【００３２】
図６、図７には、他の治具２０の他例を示し、この実施形態の他の治具２０は、上記図３に示す実施形態において、そのＵ字状の内面に、給水栓本体１の膨出部２が当接する突起２７を設け、把持部２１を、平面視、並行な対の棒材（レバー）２１ａ、２１ａからなるＵ字状としたものである。その突起２７は、治具２０全体のゴム被覆時に形成しており、この実施形態ではそのゴム被覆はどぶ付けによる。そのとき、突起２７の形成個所に薄いスポンジのテープ片を貼って突部を形成した後にどぶ付けする。
【００３３】
その突起２７は、図８に示すように、他の治具２０の嵌合部２２を壁Ｗに設置された給水栓Ａの膨出部２に下側から本体２１が水平になるように嵌めた際、その突起２７は嵌合部２２内面２４から突出して膨出部２の抜け出しを防止するため、この他の治具２０の給水栓本体１への固定がより安定する。このとき、突起２７等がゴム被覆からなっているため、給水栓Ａへの固定強度が高いと共に抜けにくく、損傷が防止される。
また、Ｕ字状の把持部２１（レバー２１ａ、２１ａ）は、嵌合部２２の一の棒状治具１０の両側のそれぞれの端に寄っている構成となるため、一の棒状治具１０がどちらの側に寄っていても、その一の棒状治具１０と他の棒状治具２０の両レバー２１ａ、２１ａが近接することとなり、片手による両治具１０、２０の把持によるナット回しが容易となる。このとき、この把持部２１はＵ字状であるから、機械強度が高く、何らかの事情によって、この治具２０が給水栓Ａから外れても、Ｕ字状把持部２１の少なくとも一方のレバー２１ａ、２１ａに手がかかるため、この治具２０は落下しにくい。
【００３４】
この発明に係る治具１０、２０は、洗濯機に限らず、温水洗浄便座等の水を必要とする機器のみならず、給水栓Ａに各種の器具を接続する場合において使用することができることは勿論である。
このため、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３５】
Ａ  給水栓
Ｂ、Ｃ  接続具
Ｐ  ホース
Ｓ  洗濯機
Ｗ  壁（壁面）
ａ  給水口
１  給水栓本体
１ａ  給水栓本体の拡径部
２  同膨出部
３  止水弁
４  スピンドル
５  ハンドル
６  蛇口パイプ
７  雄ねじ部
８  締め付け取付ナット
８ａ  パッキン押さえ用ナット
９ａ  パイプリング
９ｂ  Ｕパッキン
１０  一の治具
１１  同治具の本体（把持部、レバー）
１２  同嵌合部
１３  吊し孔
２０  他の治具
２１  同治具の本体（把持部、レバー）
２１ａ  把持部の並行なレバー（棒材）
２２  同嵌合部
２３  同吊し孔
２４  同嵌合部内面
２５  リブ
２７  突起
【図１Ａ】
2017124486.tif 000003
【図１Ｂ】
2017124486.tif 000004
【図１Ｃ】
2017124486.tif 000005
【図１Ｄ】
2017124486.tif 000006
【図２】
2017124486.tif 000007
【図３】
2017124486.tif 000008
【図４】
2017124486.tif 000009
【図５】
2017124486.tif 000010
【図６】
2017124486.tif 000011
【図７】
2017124486.tif 000012
【図８】
2017124486.tif 000013
【図９】
2017124486.tif 000014
【図１０】
2017124486.tif 000015
【図１１】
2017124486.tif 000016